(57)【要約】【課題】ユーザの関心が刻々と変化する場合でも、ユーザの関心が高く、閲覧率の高い広告の配信を実現する。【解決手段】通信システムは、携帯端末を特定する情報に関連付けて携帯端末のログ情報を記録するユーザ個人情報データベースと、携帯端末の属性に関連付けて配信用広告を格納する配信用広告データベースと、広告配信対象の携帯端末を特定する情報を用いて、ユーザ個人情報データベースに記録されている携帯端末のログ情報から広告配信対象の携帯端末の属性を抽出する属性抽出部と、抽出された広告配信対象の携帯端末の属性に応じて、配信用広告データベースから広告配信対象の携帯端末向けの配信用広告を決定し、決定した配信用広告を広告配信対象の携帯端末に配信する広告配信部とを含む。【選択図】図１
2012174017.tif 000002
【特許請求の範囲】
【請求項１】
携帯端末を特定する情報に関連付けて携帯端末のログ情報を記録するユーザ個人情報データベースと、
携帯端末の属性に関連付けて配信用広告を格納する配信用広告データベースと、
広告配信対象の携帯端末を特定する情報を用いて、前記ユーザ個人情報データベースに記録されている携帯端末のログ情報から広告配信対象の携帯端末の属性を抽出する属性抽出部と、
抽出された広告配信対象の携帯端末の属性に応じて、前記配信用広告データベースから広告配信対象の携帯端末向けの配信用広告を決定し、決定した配信用広告を広告配信対象の携帯端末に配信する広告配信部とを有することを特徴とする通信システム。
【請求項２】
前記広告配信部は、広告配信対象の携帯端末の通話終了時に、前記配信用広告を配信することを特徴とする請求項１に記載の通信システム。
【請求項３】
前記広告配信対象の携帯端末は、通話を行う受信側の携帯端末であることを特徴とする請求項２に記載の通信システム。
【請求項４】
前記広告配信部は、リコメンド機能を用いて、抽出された広告配信対象の携帯端末の属性に応じて前記配信用広告を決定することを特徴とする請求項１から３のいずれかに記載の通信システム。
【請求項５】
前記リコメンド機能は、協調フィルタリングを用いたものであることを特徴とする請求項４に記載の通信システム。
【請求項６】
前記携帯端末の属性は、前記携帯端末のログ情報から抽出可能なユーザの嗜好情報を含むことを特徴とする請求項１から５のいずれかに記載の通信システム。
【請求項７】
前記ユーザ個人情報データベース及び前記属性抽出部は、オペレータシステムに設けられ、
前記配信用広告データベース及び前記広告配信部は、広告配信システムに設けられることを特徴とする請求項１から６のいずれかに記載の通信システム。
【請求項８】
携帯端末を特定する情報に関連付けて携帯端末のログ情報を記録するユーザ個人情報データベースと、
携帯端末の属性に関連付けて配信用広告を格納する配信用広告データベースとを有する通信システムの広告配信方法であって、
広告配信対象の携帯端末を特定する情報を用いて、前記ユーザ個人情報データベースに記録されている携帯端末のログ情報から広告配信対象の携帯端末の属性を抽出し、
抽出された広告配信対象の携帯端末の属性に応じて、前記配信用広告データベースから広告配信対象の携帯端末向けの配信用広告を決定し、決定した配信用広告を広告配信対象の携帯端末に配信することを特徴とする広告配信方法。
【請求項９】
携帯端末を特定する情報に関連付けて携帯端末のログ情報を記録するユーザ個人情報データベースと、
携帯端末の属性に関連付けて配信用広告を格納する配信用広告データベースとを有する通信システムの広告配信プログラムであって、
コンピュータを、
広告配信対象の携帯端末を特定する情報を用いて、前記ユーザ個人情報データベースに記録されている携帯端末のログ情報から広告配信対象の携帯端末の属性を抽出する属性抽出部と、
抽出された広告配信対象の携帯端末の属性に応じて、前記配信用広告データベースから広告配信対象の携帯端末向けの配信用広告を決定し、決定した配信用広告を広告配信対象の携帯端末に配信する広告配信部として機能させるための広告配信プログラム。
【発明の詳細な説明】
【技術分野】
【０００１】
本発明は、通信システム、その広告配信方法及びプログラムに関し、特に携帯端末の通話終了時に広告を配信する通信システム、その広告配信方法及びプログラムに関する。
【背景技術】
【０００２】
携帯電話等の携帯端末において、ユーザが自主的に検索等を用いた結果最終的に閲覧される広告や、メルマガ（メールマガジン）に代表される広告主からの一方的な配信となる一般的なモバイル広告では、広告の高い閲覧は期待できない。
【０００３】
これに関し、特許文献１では、コマーシャル情報に係る表示データを格納し管理する広告情報管理装置と、広告情報管理装置から表示データを取り出して端末に送信する電話交換機とを備え、端末の切断信号を契機として表示データを端末に表示させるコマーシャル電話方式が提案されている。これによれば、ユーザの快適な通話環境等を阻害することなく、広告効果を向上させることができるとされている。
【０００４】
また、特許文献２では、通信回線網上のサーバ又はコンピュータから送信される広告情報を基地局を介して受信する受信手段を備え、通話中または通話終了後に受信手段が受信した広告情報を表示する携帯端末などの通信装置が提案されている。この通信装置は、ユーザの性別、年齢、趣味等に応じて広告を変えることにより、より効率的な広告が可能であるとされている。
【０００５】
さらに、特許文献３には、通信端末にネットワークを介して接続される広告配信サーバであって、通信端末の待ち受け画面となる広告データを通信端末に送信するものが提案されている。この広告配信サーバは、広告データに設定される属性情報に対応するカテゴリ情報が設定されたユーザ識別情報に基づいて、通信端末に広告データを送信することにより、ユーザの嗜好や趣味などに応じた広告を配信することが可能とされている。
【先行技術文献】
【特許文献】
【０００６】
【特許文献１】特開２００１−２５７８１１号公報
【特許文献２】特開２００１−３２０４５０号公報
【特許文献３】特開２００３−０９１６７３号公報
【発明の概要】
【発明が解決しようとする課題】
【０００７】
しかしながら、特許文献１では、通話終了後に広告データを表示させているが、ユーザの関心に関係なく広告を送信する構成であるため、表示された広告がユーザの関心の低いものであった場合は、広告の高い閲覧はあまり期待できない。
【０００８】
これに対し、特許文献２では、ユーザの性別、年齢、趣味等に応じて広告を変えることが可能とされているが、あらかじめ設定された情報を用いているため、ユーザの関心が刻々と変化し、ある時点であらかじめ設定された情報とは異なっている場合には、ユーザの関心が高い広告を配信するのは困難である。
【０００９】
また、特許文献３でも、カテゴリ情報を使ってユーザの嗜好や趣味などに応じた広告を配信することが可能とされているが、このカテゴリ情報もあらかじめ設定されたものを用いているため、特許文献２の場合と同様に、ユーザの関心が刻々と変化し、ある時点であらかじめ設定された情報とは異なっている場合には、その時点でユーザの関心が高い広告を配信するのは困難である。
【００１０】
本発明の目的は、上記課題を解決し、ユーザの関心が刻々と変化する場合でも、ユーザの関心が高く、閲覧率の高い広告の配信を実現することができる通信システム、その広告配信方法及びプログラムを提供することにある。
【課題を解決するための手段】
【００１１】
本発明の第１の観点によれば、携帯端末を特定する情報に関連付けて携帯端末のログ情報を記録するユーザ個人情報データベースと、携帯端末の属性に関連付けて配信用広告を格納する配信用広告データベースと、広告配信対象の携帯端末を特定する情報を用いて、前記ユーザ個人情報データベースに記録されている携帯端末のログ情報から広告配信対象の携帯端末の属性を抽出する属性抽出部と、抽出された広告配信対象の携帯端末の属性に応じて、前記配信用広告データベースから広告配信対象の携帯端末向けの配信用広告を決定し、決定した配信用広告を広告配信対象の携帯端末に配信する広告配信部とを有することを特徴とする通信システムが提供される。
【００１２】
本発明の第２の観点によれば、携帯端末を特定する情報に関連付けて携帯端末のログ情報を記録するユーザ個人情報データベースと、携帯端末の属性に関連付けて配信用広告を格納する配信用広告データベースとを有する通信システムの広告配信方法であって、広告配信対象の携帯端末を特定する情報を用いて、前記ユーザ個人情報データベースに記録されている携帯端末のログ情報から広告配信対象の携帯端末の属性を抽出し、抽出された広告配信対象の携帯端末の属性に応じて、前記配信用広告データベースから広告配信対象の携帯端末向けの配信用広告を決定し、決定した配信用広告を広告配信対象の携帯端末に配信することを特徴とする広告配信方法が提供される。
【００１３】
本発明の第３の観点によれば、携帯端末を特定する情報に関連付けて携帯端末のログ情報を記録するユーザ個人情報データベースと、携帯端末の属性に関連付けて配信用広告を格納する配信用広告データベースとを有する通信システムの広告配信プログラムであって、コンピュータを、広告配信対象の携帯端末を特定する情報を用いて、前記ユーザ個人情報データベースに記録されている携帯端末のログ情報から広告配信対象の携帯端末の属性を抽出する属性抽出部と、抽出された広告配信対象の携帯端末の属性に応じて、前記配信用広告データベースから広告配信対象の携帯端末向けの配信用広告を決定し、決定した配信用広告を広告配信対象の携帯端末に配信する広告配信部として機能させるための広告配信プログラムが提供される。
【発明の効果】
【００１４】
本発明によれば、ユーザの関心が刻々と変化する場合でも、ユーザの関心が高く、閲覧率の高い広告の配信を実現することができる。
【図面の簡単な説明】
【００１５】
【図１】本発明の一実施の形態に係る通信システムの構成を示すブロック図である。
【図２】図１に示すオペレータシステムの動作を示す概略フローチャートである。
【図３】図１に示す広告配信システムの動作を示す概略フローチャートである。
【図４】図１に示す通信システムの動作を示す概略フローチャートである。
【発明を実施するための形態】
【００１６】
次に、本発明に係る通信システム、その広告配信方法及びプログラムの実施の形態について、図面を参照して詳細に説明する。
【００１７】
図１は、本発明の一実施の形態に係る通信システムの構成図を示す。
【００１８】
図１に示す本実施の形態に係る通信システム１００は、発信側の携帯電話（携帯端末）Ａから成る発信端末１と、その受信（着信）側の携帯電話Ｂから成る受信端末２との間で通話を行った場合の広告表示に適用されるもので、移動通信事業者のオペレータシステム３と、広告配信システム４とを含む。オペレータシステム３および広告配信システム４は、通信網（非図示）上に接続されている。なお、通信網上には、Ｗｅｂサーバとして広告主Ｗｅｂサイト５も接続されている。
【００１９】
発信端末１および受信端末２は、各々が位置するセルに割り当てられた基地局（非図示）を介して通信網に接続可能となっている。発信端末１および受信端末２は、本実施の形態では、通話機能、メール送受信機能、Ｗｅｂサイト閲覧機能等の既知の機能を搭載した携帯電話機で構成される。携帯電話機の既知の機能については、本実施の形態では公知のものが適用されるため、その詳細については省略する。
【００２０】
オペレータシステム３には、発信端末１および受信端末２のユーザが利用している移動通信事業者のオペレーションシステムであり、通信網上に配置される。このオペレータシステム３は、制御装置３０と、ユーザ個人情報データベース（ＤＢ）３１とを含む。
【００２１】
制御装置３０は、プログラム制御で動作可能なＣＰＵ（Central Processing Unit）を含み且つそのＣＰＵの処理によりシステム全体の動作を制御する。この制御装置３０は、機能上、属性抽出部３２を含む。
【００２２】
属性抽出部３２は、ユーザ個人情報データベース３１を用いて、送信された受信端末２を特定するユーザ情報から、特定された受信端末２のログ情報を元に、受信端末２の嗜好情報等の属性（以下、嗜好情報）を抽出する。
【００２３】
ユーザ個人情報データベース３１は、携帯端末のユーザを特定する電話番号などのユーザ情報に関連付けて、多くのユーザの通信端末のアクセスログや行動履歴（例えば、Ｗｅｂ上のアイテム（商品、Ｗｅｂページ等）のクリックした履歴等）などの情報（以下、ログ情報）を記録する。
【００２４】
図２は、オペレータシステム３の動作を示すフローチャートである。図２に示すフローチャートに対応するプログラムは、例えば制御装置３０内のメモリ（非図示）に格納され、制御装置３０内のＣＰＵにより実行される。
【００２５】
図２において、オペレータシステム３は、発信端末１と受信端末２との間の通話の呼切断時に、受信端末２から通信網を介して着信画面要求とユーザを特定する電話番号などのユーザ情報を受信すると（ステップＳ２１：ＹＥＳ）、制御装置３０内の属性抽出部３２により、ユーザ個人情報データベース３１を用いて、送信された受信端末２を特定するユーザ情報から、特定された受信端末２のログ情報を元に、受信端末２の嗜好情報を抽出し（ステップＳ２２）、受信端末２の着信画面要求と嗜好情報とを通信網を介して広告配信システム４に送信する（ステップＳ２３）。
【００２６】
その後、オペレータシステム３は、広告配信システム４から通信網を介して送信されてくる配信用広告を受信すると（ステップＳ２４：ＹＥＳ）、制御部３１により、受信した配信用広告を通話の呼切断時の復旧完了のタイミングで受信端末２に送信する（ステップＳ２５）。
【００２７】
広告配信システム４は、通信網上に接続される通信装置を含むサーバ機等のコンピュータ機で構成され、制御装置４０と、配信用広告データベース（ＤＢ）４１とを含む。
【００２８】
制御装置４０は、プログラム制御で動作可能なＣＰＵを含み且つそのＣＰＵの処理によりシステム全体の動作を制御する。この制御装置４０は、機能上、広告配信部４２を含む。
【００２９】
広告配信部４２は、オペレータシステム３から受信した受信端末２の嗜好情報を基に、配信用広告データベース３１から、協調フィルタリングに代表されるリコメンド機能を持つアルゴリズムにより、受信端末２の属性に適した配信用広告を決定し、決定した配信用広告をオペレータシステム３に送信する。
【００３０】
ここで、リコメンド機能を持つアルゴリズムに対応するプログラムは、例えば制御装置４０内のメモリ等の記録媒体に格納され、制御装置４０内のＣＰＵにより実行される。
【００３１】
リコメンド機能は、例えばＷｅｂ上のアイテム（例えば、Ｗｅｂページや商品等）のクリックした履歴を基にユーザの嗜好パターンを学習し、ユーザが好みそうなアイテムを推薦するものであり、その代表的な手法として、協調フィルタリングを用いたものが知られている。
【００３２】
協調フィルタリングとしては、例えば、ユーザの相関性を考慮して嗜好性を予測する相関係数法を用いたものや、ユーザ間の相関性とアイテムの相関性とを考慮した二項関係を逐次的に学習して嗜好性を予測する逐次的二項関係学習法を用いたもの等が知られている。これらの手法については、既知のものが利用可能であるため、その詳細については省略する。
【００３３】
配信用広告データベース４１は、ユーザの嗜好情報（属性）に関連付けて、広告主Ｗｅｂサイト５のＵＲＬ（Uniform Resource Locator）を含む携帯電話向けの広告画像から構成される配信用広告（携帯電話着信広告）を格納する。
【００３４】
図３は、広告配信システム４の動作を示すフローチャートである。図３に示すフローチャートに対応するプログラムは、例えば制御装置４０内のメモリ（非図示）に格納され、制御装置４０内のＣＰＵにより実行される。
【００３５】
図３において、広告配信システム４は、発信端末１と受信端末２との間の通話の呼切断時に、オペレータシステム３から通信網を介して受信端末２の着信画面要求と嗜好情報を受信すると（ステップＳ３１：ＹＥＳ）、制御装置４０内の広告配信部４２により、受信した嗜好情報を基に、配信用広告データベース３１から、協調フィルタリングに代表されるリコメンド機能を持つアルゴリズムにより、受信端末２の属性に適した配信用広告を決定し（ステップＳ３２）、決定した配信用広告を通信網を介してオペレータシステム３に送信する（ステップＳ３３）。
【００３６】
次に、本実施の形態の動作について、図４を参照して説明する。
【００３７】
図４において、まず、発信端末１は、発信者の呼接続操作により通信網を介して受信端末２に呼接続を行う（ステップＳ４１）。これにより、発信端末１と受信端末２との間で通話が行われる（ステップＳ４２）。
【００３８】
次に、受信端末２は、通話終了時に受信者の呼切断操作により通信網を介して発信端末１との通話の呼切断を行う（ステップＳ４３）。これと同時に、受信端末２は、通信網を介してオペレータシステム３に着信画面要求と受信端末２の電話番号などの受信端末２を特定するユーザ情報を送付する（ステップＳ４４）。
【００３９】
次に、オペレータシステム３は、ユーザ個人情報データベース３１を用いて、送付された受信端末２を特定するユーザ情報から、特定された受信端末２のログ情報を元に、受信端末２の嗜好情報を抽出する（ステップＳ４５）。
【００４０】
次に、オペレータシステム３は、受信端末２の着信画面要求と嗜好情報とを広告配信システム４に送付する（ステップＳ４６）。
【００４１】
次に、広告配信システム４は、受信端末２の着信画面要求を受け、送付された受信端末２の嗜好情報を元に、協調フィルタリングに代表されるリコメンド機能を持つアルゴリズムにより、配信用広告データベース４１に格納されている配信用広告の中から、受信端末２の属性に適した配信用広告を決定する（ステップＳ４７）。
【００４２】
次に、広告配信システム４は、決定した配信用広告を通信網を介してオペレータシステム３に送付する（ステップＳ４８）。
【００４３】
次に、オペレータシステム３は、発信端末１と受信端末２との間の通話の呼切断時の復旧完了のタイミングで通信網を介して受信端末２に配信用広告に送信する（ステップＳ４９）。これにより、受信端末２は、通話終了画面に、配信用広告を表示する（ステップＳ５０）。
【００４４】
次に、受信者は、受信端末２の通話終了画面に表示された配信用広告のＵＲＬをクリックする等の操作により、通信網を介して広告主Ｗｅｂサイト５にアクセスする（ステップＳ５１）。これにより、受信端末２は、広告主Ｗｅｂサイト５のＷｅｂページを表示し、受信者により閲覧可能となる。
【００４５】
従って、本実施の形態によれば、受信端末２のユーザは発信端末１から電話がかかり、その通話終了時に通話終了確認のために画面を覗き込む動作をする度に、受信端末のアクセスログや行動履歴などのログ情報から得られるユーザのその時点で最も関心の高いと考えられる嗜好情報に適した配信用広告が配信及び表示されるため、ユーザの関心が刻々と変化する場合でも、ユーザの関心が高く、閲覧率の高い広告の配信を実現することができる。
【００４６】
すなわち、携帯端末で通話をするユーザは、通話が終了するたびに通話終了を確認しようと画面を覗き込むため、その間（例えば、数秒間）に、携帯端末のアクセスログや行動履歴などのログ情報から得られる携帯端末の属性に応じた、ユーザの関心が高いとされる広告を配信し、携帯端末による通話が終了した画面に、その広告画像を表示させることにより、ユーザの関心が高く、閲覧率の高い広告の配信を実現することができる。
【００４７】
また、携帯端末に電話がかかるたびに、通話終了を確認するために画面を覗き込む動作に着目し、この数秒間に広告を表示することで、ユーザが広告に着目する新たな機会を創出するとともに、広告の高い閲覧率を実現することができる。
【００４８】
さらに、ユーザとしては、携帯端末の通話終了時に配信及び表示される広告による新たなサービスを利用することで、広告主が支払う広告料等によって、その通話料金の低減を享受することも可能になる。
【００４９】
なお、本実施の形態では、通信システム１００を、オペレータシステム３（制御装置３０（属性抽出部３２）、ユーザ個人情報データベース３１）と、広告配信システム４（制御装置４０（広告配信部４２）、配信用広告データベース４１）とで独立して構成する場合を説明しているが、本発明はこれに限らず、例えば１つの通信システム１００内に、ユーザ個人情報データベース３１、属性抽出部３２、配信用広告データベース４１、広告配信部４２を設ける構成であってもよい。この場合、オペレータシステム３内に広告配信部４２及び配信用広告データベース４１を設ける構成でも、広告配信システム４内に属性抽出部３２及びユーザ個人情報データベース３１を設ける構成でも、これ以外の通信網上の通信システム内に、ユーザ個人情報データベース３１、属性抽出部３２、配信用広告データベース４１、広告配信部４２を設ける構成でも、いずれでもよい。
【００５０】
また、本実施の形態では、受信端末のユーザの嗜好情報等の属性に適した配信用広告を決定し、この配信用広告を受信端末の通話終了画面に配信及び表示する場合を説明しているが、本発明はこれに限定されず、例えば通話終了時に発信端末のユーザの嗜好情報等の属性に適した配信用広告を決定し、この配信用広告を発信端末に配信し、その通話終了画面に表示させてもよい。
【００５１】
また、発信端末のユーザ及び受信端末のユーザに、各々の嗜好情報等の属性に適した配信用広告を決定し、この配信用広告を発信端末及び受信端末に配信し、各々の通話終了画面に表示させてもよい。この場合、両ユーザに共通する嗜好情報等の属性に適した共通の配信用広告を決定し、この共通の配信用広告を発信端末及び受信端末に配信し、各々の通話終了画面に表示させてもよい。
【００５２】
また、本実施の形態では、配信用広告の配信及び表示のタイミングは通話終了時の場合を説明しているが、本発明はこれに限らず、例えば、メール受信時又は送信時、Ｗｅｂサイト閲覧開始時又は終了時、ワンセグ（携帯電話・移動体端末向けの１セグメント部分受信サービス）などのデジタルテレビ対応の携帯端末であれば、そのデジタルテレビ放送の視聴開始時又は終了時等の所定のタイミングで、配信用広告の配信及び表示を行うようにしてもよい。
【００５３】
上記の通信システムを構成するオペレータシステム及び広告配信システムは、ハードウェア、ソフトウェア又はこれらの組合せにより実現することができる。この場合のハードウェア、ソフトウェア構成は特に限定されるものではなく、上述した機能を実現可能なものであれば、いずれの形態でも適用可能である。
【００５４】
上記の実施の形態の一部又は全部は、以下の付記のようにも記載されうるが、以下には限定されない。
【００５５】
（付記１）携帯端末を特定する情報に関連付けて携帯端末のログ情報を記録するユーザ個人情報データベースと、携帯端末の属性に関連付けて配信用広告を格納する配信用広告データベースと、広告配信対象の携帯端末を特定する情報を用いて、前記ユーザ個人情報データベースに記録されている携帯端末のログ情報から広告配信対象の携帯端末の属性を抽出する属性抽出部と、抽出された広告配信対象の携帯端末の属性に応じて、前記配信用広告データベースから広告配信対象の携帯端末向けの配信用広告を決定し、決定した配信用広告を広告配信対象の携帯端末に配信する広告配信部とを有することを特徴とする通信システム。
【００５６】
（付記２）前記広告配信部は、広告配信対象の携帯端末の通話終了時に、前記配信用広告を配信することを特徴とする付記１に記載の通信システム。
【００５７】
（付記３）前記広告配信対象の携帯端末は、通話を行う受信側の携帯端末であることを特徴とする付記２に記載の通信システム。
【００５８】
（付記４）前記広告配信部は、リコメンド機能を用いて、抽出された広告配信対象の携帯端末の属性に応じて前記配信用広告を決定することを特徴とする付記１から３のいずれかに記載の通信システム。
【００５９】
（付記５）前記リコメンド機能は、協調フィルタリングを用いたものであることを特徴とする付記４に記載の通信システム。
【００６０】
（付記６）前記携帯端末の属性は、前記携帯端末のログ情報から抽出可能なユーザの嗜好情報を含むことを特徴とする付記１から５のいずれかに記載の通信システム。
【００６１】
（付記７）前記ユーザ個人情報データベース及び前記属性抽出部は、オペレータシステムに設けられ、前記配信用広告データベース及び前記広告配信部は、広告配信システムに設けられることを特徴とする付記１から６のいずれかに記載の通信システム。
【００６２】
（付記８）携帯端末を特定する情報に関連付けて携帯端末のログ情報を記録するユーザ個人情報データベースと、携帯端末の属性に関連付けて配信用広告を格納する配信用広告データベースとを有する通信システムの広告配信方法であって、広告配信対象の携帯端末を特定する情報を用いて、前記ユーザ個人情報データベースに記録されている携帯端末のログ情報から広告配信対象の携帯端末の属性を抽出し、抽出された広告配信対象の携帯端末の属性に応じて、前記配信用広告データベースから広告配信対象の携帯端末向けの配信用広告を決定し、決定した配信用広告を広告配信対象の携帯端末に配信することを特徴とする広告配信方法。
【００６３】
（付記９）広告配信対象の携帯端末の通話終了時に、前記配信用広告を配信することを特徴とする付記８に記載の広告配信方法。
【００６４】
（付記１０）前記広告配信対象の携帯端末は、通話を行う受信側の携帯端末であることを特徴とする付記９に記載の広告配信方法。
【００６５】
（付記１１）リコメンド機能を用いて、抽出された広告配信対象の携帯端末の属性に応じて前記配信用広告を決定することを特徴とする付記８から１０のいずれかに記載の広告配信方法。
【００６６】
（付記１２）前記リコメンド機能は、協調フィルタリングを用いたものであることを特徴とする付記１１に記載の広告配信方法。
【００６７】
（付記１３）前記携帯端末の属性は、前記携帯端末のログ情報から抽出可能なユーザの嗜好情報を含むことを特徴とする付記８から１１のいずれかに記載の広告配信方法。
【００６８】
（付記１４）携帯端末を特定する情報に関連付けて携帯端末のログ情報を記録するユーザ個人情報データベースと、携帯端末の属性に関連付けて配信用広告を格納する配信用広告データベースとを有する通信システムの広告配信プログラムであって、コンピュータを、広告配信対象の携帯端末を特定する情報を用いて、前記ユーザ個人情報データベースに記録されている携帯端末のログ情報から広告配信対象の携帯端末の属性を抽出する属性抽出部と、抽出された広告配信対象の携帯端末の属性に応じて、前記配信用広告データベースから広告配信対象の携帯端末向けの配信用広告を決定し、決定した配信用広告を広告配信対象の携帯端末に配信する広告配信部として機能させるための広告配信プログラム。
【００６９】
（付記１５）前記広告配信部は、広告配信対象の携帯端末の通話終了時に、前記配信用広告を配信することを特徴とする付記１４に記載の広告配信プログラム。
【００７０】
（付記１６）前記広告配信対象の携帯端末は、通話を行う受信側の携帯端末であることを特徴とする付記１５に記載の広告配信プログラム。
【００７１】
（付記１７）前記広告配信部は、リコメンド機能を用いて、抽出された広告配信対象の携帯端末の属性に応じて前記配信用広告を決定することを特徴とする付記１４から１６のいずれかに記載の広告配信プログラム。
【００７２】
（付記１８）前記リコメンド機能は、協調フィルタリングを用いたものであることを特徴とする付記１７に記載の広告配信プログラム。
【００７３】
（付記１９）前記携帯端末の属性は、前記携帯端末のログ情報から抽出可能なユーザの嗜好情報を含むことを特徴とする付記１４から１８のいずれかに記載の広告配信プログラム。
【００７４】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００７５】
本発明は、携帯端末の通話終了時に広告を配信する通信システム、その広告配信方法及びプログラムの用途に利用可能である。
【符号の説明】
【００７６】
１  発信端末（携帯電話Ａ）
２  受信端末（携帯電話Ｂ）
３  オペレータシステム
４  広告配信システム
５  広告主Ｗｅｂサイト
３１  ユーザ個人情報ＤＢ（データベース）
３２  属性抽出部
４１  配信用広告ＤＢ（データベース）
４２  広告配信部
１００  通信システム
【図１】
2012174017.tif 000003
【図２】
2012174017.tif 000004
【図３】
2012174017.tif 000005
【図４】
2012174017.tif 000006